(57)【要約】【課題】  プッシュバック方式で打抜いて復元の状態で搬送されるカード製品を金型外へ搬送し、外れて姿勢を崩したりジャミングを起こすことなく正規の姿勢で回収する。【解決手段】  カードシートの領域内に所定寸法のカードを形成し、少なくともパンチ及びそれに付随するストリッパとダイ及びそれに付随するノックアウト部材とによって構成される打抜金型によって、前記カードシートを打ち抜いて得られるカード製品を、前記打抜金型上で打ち抜かれて残されたカードシートに再び嵌め込む方式のプッシュバック方式のカードシート打抜装置において、前記打抜金型と分離排出部との間に、前記打ち抜かれて残されたカードシートに嵌め込まれた前記カード製品をほぼ平坦に揃えて保持する保持手段を設けていることを特徴とするカードシート打抜装置。【選択図】        図２
2005144619.tif 000002
【特許請求の範囲】
【請求項１】
カードシートの領域内に所定寸法の少なくとも１つのカードの輪郭を形成し、少なくともパンチ及びそれがダイに接触しない間はパンチに連動して同方向に移動するストリッパと、ダイ及びそれがパンチに接触する間はパンチに連動してダイの内部を同方向にスライドするノックアウト部材とによって構成される打抜金型によって、前記カードシートを前記輪郭に沿って打ち抜いて得られるカード製品を、前記打抜金型上で打ち抜かれて残されたカードシートに再び嵌め込み、前記打抜金型外で前記カード製品を前記打ち抜かれて残されたカードシートと分離して排出するようにしたプッシュバック方式のカードシート打抜装置において、
前記打抜金型と前記カード製品の分離排出部との間の前記打抜金型のカードシート搬送方向出口近傍に、前記打ち抜かれて残されたカードシートに嵌め込まれた前記カード製品をほぼ平坦に揃えて保持する保持手段が設けられていることを特徴とするカードシート打抜装置。
【請求項２】
請求項１に記載のカードシート打抜装置において、前記保持手段はカードシートの厚さとほぼ同程度の隙間を形成して対向するローラ対の間に、打ち抜かれて残されたカードシートに嵌め込まれたカード製品が搬送されるようにしたものであることを特徴とするカードシート打抜装置。
【請求項３】
請求項１に記載のカードシート打抜装置において、前記保持手段はカードシートの厚さとほぼ同じかそれ以下の隙間を形成して対向するローラ対を有し、該ローラ対のうち少なくとも一方のローラが、他方のローラに対して荷重付加手段を有し該荷重付加手段の付勢に抗して、打ち抜かれて残されたカードシートに嵌め込まれたカード製品が前記隙間を搬送されるとき該隙間が広げられるようにしたものであることを特徴とするカードシート打抜装置。
【請求項４】
請求項１に記載のカードシート打抜装置において、前記保持手段は対向する２つの平面形成部材の間に、打ち抜かれて残されたカードシートに嵌め込まれたカード製品を搬送して停止させ、カードシートの厚さとほぼ同程度の隙間を形成して、前記平面形成部材が前記残されたカードシート及び前記カード製品を押圧することを特徴とするカードシート打抜装置。
【請求項５】
請求項１に記載のカードシート打抜装置において、前記保持手段は入り口の隙間がカードシートの厚さより広く、中へ進むにつれて隙間をカードシートの厚さとほぼ同じ寸法となるようにした対向する平面形成部材とガイド面形成部材との間に、打ち抜かれて残されたカードシートに嵌め込まれたカード製品を搬送するようにしたものであることを特徴とするカードシート打抜装置。
【請求項６】
請求項１に記載のカードシート打抜装置において、前記保持手段はカードシートの厚さとほぼ同程度の隙間を形成して対向するローラ及び平面形成部材の間に、打ち抜かれて残されたカードシートに嵌め込まれたカード製品を搬送させるようにしたことを特徴とするカードシート打抜装置。
【請求項７】
請求項１に記載のカードシート打抜装置において、前記保持手段はカードシートの厚さとほぼ同じかそれ以下の隙間を形成して対向するローラ及び平面形成部材を有し、該ローラは、該平面形成部材に対して荷重付加手段を有し該荷重付加手段の付勢に抗して、打ち抜かれて残されたカードシートに嵌め込まれたカード製品が前記隙間に搬送されるとき該隙間が広げられるようにしたことを特徴とするカードシート打抜装置。
【発明の詳細な説明】
【技術分野】
【０００１】
本発明はＩＣカードシートを打ち抜いてＩＣカード製品を製作する分野、特にＩＣカードに打ち抜く分野に利用する。
【背景技術】
【０００２】
カードシートを打ち抜いてカード製品を製作する方法として、金型内でカード製品を打ち抜いてそのまま分離落下させる、いわゆる抜き落し方式と、特許文献１に示すように打ち抜いたカード製品を金型内でノックアウト機構によってカードシートに嵌め込み、金型外に搬送した後突き落とし等によりカード製品を分離回収するいわゆるプッシュバック方式がある。
【０００３】
装置構成上は一般に前者の方が装置が単純であり、安価である。しかしカードシートの中でもＩＣインレットを内蔵するＩＣカードシートを用いる場合、この層を構成する受像層や筆記層の材料の物性によって、切れ味を重視するようなときには、後者の方式が必要になる事がある。また高速で打ち抜きを行いたい場合も一般的に後者の方式が有利である。
【特許文献１】特開平１１−３３３７９９号公報
【発明の開示】
【発明が解決しようとする課題】
【０００４】
プッシュバック方式を行う場合、最も注意が必要なのは、ノックアウト機構によってカードシート等元のシートに嵌め込んだカード製品を如何に安定して金型外へ搬送するかである。シートには反りや歪みがあり、嵌め込まれたカード製品は自身の反りによってカードシートに対してカード製品が傾いたり、また金型の外へシートが搬送される際、反った製品のエッジが金型に引っ掛って、ジャミングを起こしたり、金型外へ搬送されても分離（ノックアウト）する際に製品が傾いた状態で落下するため、その受け側の手段であるコンベアやマガジン等に正規の姿勢で載らず、ここでジャミングを起こす事もあった。
【０００５】
本発明はこのような障害を排して安定した高生産性のカードシート打抜装置を提供することを課題目的にする。
【課題を解決するための手段】
【０００６】
この目的は次の技術手段（１）〜（７）項の何れかによって達成される。
【０００７】
（１）  カードシートの領域内に所定寸法の少なくとも一つのカードの輪郭を形成し、少なくともパンチ及びそれがダイに接触しない間はパンチに連動して同方向に移動するストリッパと、ダイ及びそれがパンチに接触する間はパンチに連動してダイの内部を同方向にスライドするノックアウト部材とによって構成される打抜金型によって、前記カードシートを前記輪郭に沿って打ち抜いて得られるカード製品を、前記打抜金型上で打ち抜かれて残されたカードシートに再び嵌め込み、前記打抜金型外で前記カード製品を前記打ち抜かれて残されたカードシートと分離して排出するようにしたプッシュバック方式のカードシート打抜装置において、
前記打抜金型と前記カード製品の分離排出部との間の前記打抜金型のカードシート搬送方向出口近傍に、前記打ち抜かれて残されたカードシートに嵌め込まれた前記カード製品をほぼ平坦に揃えて保持する保持手段が設けられていることを特徴とするカードシート打抜装置。
【０００８】
（２）  （１）項に記載のカードシート打抜装置において、前記保持手段はカードシートの厚さとほぼ同程度の隙間を形成して対向するローラ対の間に、打ち抜かれて残されたカードシートに嵌め込まれたカード製品が搬送されるようにしたものであることを特徴とするカードシート打抜装置。
【０００９】
（３）  （１）項に記載のカードシート打抜装置において、前記保持手段はカードシートの厚さとほぼ同じかそれ以下の隙間を形成して対向するローラ対を有し、該ローラ対のうち少なくとも一方のローラが、他方のローラに対して荷重付加手段を有し該荷重付加手段の付勢に抗して、打ち抜かれて残されたカードシートに嵌め込まれたカード製品が前記隙間を搬送されるとき該隙間が広げられるようにしたものであることを特徴とするカードシート打抜装置。
【００１０】
（４）  （１）項に記載のカードシート打抜装置において、前記保持手段は対向する２つの平面形成部材の間に、打ち抜かれて残されたカードシートに嵌め込まれたカード製品を搬送して停止させ、カードシートの厚さとほぼ同程度の隙間を形成して、前記平面形成部材が前記残されたカードシート及び前記カード製品を押圧することを特徴とするカードシート打抜装置。
【００１１】
（５）  （１）項に記載のカードシート打抜装置において、前記保持手段は入り口の隙間がカードシートの厚さより広く、中へ進むにつれて隙間をカードシートの厚さとほぼ同じ寸法となるようにした対向する平面形成部材とガイド面形成部材との間に、打ち抜かれて残されたカードシートに嵌め込まれたカード製品を搬送するようにしたものであることを特徴とするカードシート打抜装置。
【００１２】
（６）  （１）項に記載のカードシート打抜装置において、前記保持手段はカードシートの厚さとほぼ同程度の隙間を形成して対向するローラ及び平面形成部材の間に、打ち抜かれて残されたカードシートに嵌め込まれたカード製品を搬送させるようにしたことを特徴とするカードシート打抜装置。
【００１３】
（７）  （１）項に記載のカードシート打抜装置において、前記保持手段はカードシートの厚さとほぼ同じかそれ以下の隙間を形成して対向するローラ及び平面形成部材を有し、該ローラは、該平面形成部材に対して荷重付加手段を有し該荷重付加手段の付勢に抗して、打ち抜かれて残されたカードシートに嵌め込まれたカード製品が前記隙間に搬送されるとき該隙間が広げられるようにしたことを特徴とするカードシート打抜装置。
【発明の効果】
【００１４】
本発明により、保持手段が働きカードシートにプッシュバックしたカード製品がほぼ平坦に保持され、ジャミングを起こすこと無く安定して搬送でき、一定の姿勢でカード製品が分離回収でき、安定したカード製品の打抜生産が可能になる。
【発明を実施するための最良の形態】
【００１５】
本発明を実施するための最良の形態を記述するに当たっては、カードシートはカード製品としてＩＣカード製品が打ち抜いて製作できるようにしたＩＣカードシートを用いて説明する。しかし本発明の対象とするものはこのようなＩＣカードシートやＩＣカード製品に限られるものではなく広くカード製品を製作する場合に適用できるものである。
【００１６】
ＩＣカードシート３は図５（ａ）の層構成断面図や図５（ｂ）の亀裂の発生状況をも表示した層構成断面図に示すように、０．２ｍｍ厚のＰＥＴ等で構成されるシートであるベースの上に表面層を有する第１のシート３０１及び第２のシート３０４をホットメルトのような接着剤層３０３でラミネートした構造で、接着剤層３０３にはＩＣのインレット３０２が封入されている。そして第１のシート３０１のベース３０１Ａには表面層として画像形成が可能な受像層３０５が塗布され、第２のシート３０４のベース３０４Ａには表面層として筆記層３０６が塗布されている。
【００１７】
表面層として受像層３０５を有する第１のシート３０１と、表面層として筆記層３０６を有する第２のシート３０４を備えたＩＣカードをパンチとダイによって打ち抜く場合、実験の結果、第１のシート３０１をパンチ側に位置させ、第２のシート３０４をダイ側に位置させると、第２のシート３０４のベース３０４Ａの断面に直角な方向に亀裂３０４Ｋが入り易いことが分かった。
【００１８】
この原因を推測すると、以下のようになる。第１のシート３０１のベース３０１Ａに塗布した受像層３０５と第２のシート３０４のベース３０４Ａに塗布した表面層としての筆記層３０６とでは、例えば特願平２００３−７５５０７にも例示してあるようにそれぞれの機能に基づき成分構成が異なり、従って弾性率も異なり、第１のシート３０１の受像層３０５より第２のシート３０４の筆記層３０６の方が弾性率が高いことが分かった。そして、第１のシート３０１をパンチ側に位置させ、第２のシート３０４をダイ側に位置させて打ち抜くと、弾性率の低い受像層３０５はより延性が大きいので、第１のシート３０１はパンチによって引き延ばされるのみであるが、弾性率の高い表面層である筆記層３０６は延性が小さいので、それが塗布されている第２のシート３０４は影響を受けて最初はダイによって引き延ばされるが、途中で剪断状態になり、このときに第２のシート３０４のベース３０４Ａの断面に亀裂３０４Ｋが入るものと思われる。
【００１９】
これにより、弾性率の高い筆記層３０６が表面層として塗布されている第２のシート３０４をパンチ側に位置させ、弾性率の低い受像層３０５が塗布されている第１のシート３０１をダイ側に位置させて実験すると、第１のシート３０１のベース３０１Ａの断面にも第２のシート３０４のベース３０４Ａの断面にも亀裂が入らないことが分かった。
【００２０】
即ち、筆記層３０６を有する第２のシート３０４をパンチ側に位置させ、受像層３０６を有する第１のシート３０１をダイ側に位置させて打ち抜くことにより、断面に直角な方向に亀裂が入らずに、良好な品質のＩＣカードが得られることが分かった。
【００２１】
因みに、第１のシート３０１に塗布された受像層３０５の弾性率は常温で１００〜２００Ｎ／ｍ2であり、第２のシート３０４に塗布された筆記層３０６の弾性率は常温で１０００〜５０００Ｎ／ｍ2である。
【００２２】
図６の平面図に示すように、１枚のＩＣカードシート３の一例は１列５枚で１０段計５０枚のＩＣカード製品１０が取れるようにしてある。
【００２３】
ＩＣカードシート３には少なくとも片面にシートの打ち抜き時の位置合わせのためのマーク３Ａが印刷されている。
【００２４】
一例としてＩＣカードシートの流れ方向の先端と後端付近で、幅方向中央付近に四角または丸の黒ベタのマークがＩＣカードシートの位置決めマーク３Ａとして印刷されている。黒ベタ以外でも十字線や、十字線と黒ベタマークを組み合わせたもの等、適宜の形状が考えられる。
【００２５】
また打ち抜き時の流れ方向にも少なくとも１列に黒ベタのマークがあり、これが送りピッチ位置合わせマーク３Ｂとして使用される。
【００２６】
次に本発明のＩＣカードシート打抜装置を図１の斜視図を用いて説明する。
【００２７】
前記ＩＣカードシート３は、樹脂等でできたパレット３１上に積載される。一例としてＩＣカードシート３は前記位置決めマークの印刷面を下面にして積載される。また、ＩＣカードシート３の最下部及び最上部及び適当な間隔で、ＩＣカードシート３とほぼ同寸法のＳＵＳ板２が挟まっている。一例として２ｍｍ厚のＳＵＳ３０３の板材がＳＵＳ板２としてＩＣカードシート３の５０枚間隔毎に挟まっている。このＳＵＳ板２の目的は、図４に示したようにＩＣカードシート３のインレット３０２の出っ張り部Ｄを押さえる事によってＩＣカードシート３の平坦度を良くする事や、ＩＣカードシート３の反りを押さえるためである。
【００２８】
パレット３１上には一例として約４００枚のＩＣカードシートが積載される。
【００２９】
ＩＣカードシート３を積載したパレット３１を、リフター等によりＩＣカードシート打抜装置１００のＩＣカードシート供給部３０にセットする。パレット３１は図示はしないが昇降装置等により上昇し、ＩＣカードシート３の最上面が規定の高さになったところで停止する。複数の吸引パッド３３Ａが取り付けられた吸引ヘッド３３が、最上面のＩＣカードシート３を１枚吸着し、位置決め部にセットされる。なお最上面にＳＵＳ板２がきた場合は、近接センサ等により判別した後、別のＳＵＳ板積載ステーション２０のパレット２１上に載置して積載されてゆく。
【００３０】
位置決め部４０では図６で図示したＩＣカードシートの位置決めマーク３Ａを下側から図示はしないが画像センサにより検出し、正規の位置になる様にＩＣカードシート３を動かして位置決めする。ＩＣカードシート３を動かす手段は一例としてＩＣカードシート３をサクションテーブルに吸着し、サクションテーブルを回転方向及び前後左右方向に動かす事によって行われるものであり、これによってＩＣカードシート３の位置決めが可能になる。
【００３１】
位置決めされたＩＣカードシート３は規定速度で一定量搬送し、その際送りピッチ位置合わせ用マーク３Ｂを図示はしないが画像センサにより検出し、ピッチを測定する。次にＩＣカードシート３をチャック４１により保持し、打抜部５０へ上記ピッチ測定値を元に打ち抜き位置が正確になる様補正しながら送り込んでゆく。
【００３２】
打抜部５０では打抜金型５１によりいわゆるプッシュバック方式でプレスの１ストロークで１段目の５枚のＩＣカード製品１０を打ち抜く。なお５枚のＩＣカード製品１０は同時に打ち抜いても良いし、またパンチの高さに差を付け、例えば片側から１、３、５列目を先に打ち抜き、その後２、４列目を打ち抜く様にしても良い。この場合は打ち抜き時のショックや騒音を分散する効果がある。そして１段目が終了すると２段目以降が次々に打ち抜かれて行く。
【００３３】
打ち抜いてプッシュバックされたＩＣカード製品１０はＩＣカードシート３と共に打抜金型５１外へ送られる。ここで本発明の特色である打ち抜かれたＩＣカードシート３とそれにプッシュバックされたＩＣカード製品１０の同一面化機構である保持手段６０によって、揃えられて保持される。これについて図２の打抜部の断面図、図３の保持手段の斜視図及び図４の保持手段の他の例を示す側面図を用い詳細に説明する。
【００３４】
打抜部５０には固定の基台５１１と該基台５１１のガイド機構によって上下に移動するラム５２１が設けられ、固定の基台５１１にはダイ５１２が取り付けられ、ラム５２１にはパンチ５２２が取り付けられ、ラム５２１の上下動によってパンチ５２２がダイ５１２に嵌入しダイ上にあるＩＣカードシート３を打ち抜いてＩＣカード製品１０を得るようにしてある。
【００３５】
また、ダイ５１２の内側の孔部にはノックアウト部材５１３が内蔵するバネ５１４によって該ノックアウト部材５１３の表面がダイ５１２の表面と同一平面になるように付勢され、前記孔部にスライド可能に嵌合して設けられている。更にパンチ５２２の外側にストリッパ５２３がバネ５２４によって該ストリッパ５２３の表面がパンチ５２２の表面と同一平面となるように付勢され、前記パンチ５２２にスライド可能に嵌合して設けられている。
【００３６】
そしてこのようなパンチ５２２、ダイ５１２やそれに付随するストリッパ５２３、ノックアウト部材５１３で構成される打抜金型５１には、ＩＣカードシート３が前述のチャック４１によって搬送されてくる。
【００３７】
ここでパンチ５２２及びストリッパ５２３が下降して、先ずダイ５１２にストリッパ５２３がバネ５２４で付勢され、ダイ５１２上のＩＣカードシート３を押さえて固定し更にパンチ５２２が下降してダイ５１２に嵌入し、ノックアウト部材５１３が付勢に抗して沈められ、ＩＣカード製品１０が打ち抜かれる。次にパンチ５２２の上昇に転ずるのに伴いノックアウト部材５１３もバネ５１４の付勢によってＩＣカード製品１０と共に上昇し元のＩＣカードシート３の輪郭線の中に納められ、この状態で下流側の分離排出部６４に搬出されるようにしてある。
【００３８】
これでほぼ十分に回収位置でＩＣカード製品１０を突き落として回収することが可能であるが、搬送中にＩＣカード製品１０がＩＣカードシート３からはずれる心配もあるのでそれを万全に回避するために、保持手段６０を打抜金型５１の出口近傍に設けて、前記ＩＣカードシート３へのＩＣカード製品１０の嵌め込みと揃えを強化するようにしてある。
【００３９】
保持手段６０についての一例は、図２の他に図３の斜視図に詳しく示すように、ＩＣカードシート３及びＩＣカード製品１０の搬送面６１１を形成する平面形成部材６１上に軸受収納部６１２が設けられている。ＩＣカードシート３及びＩＣカード製品１０の搬送方向に直角で前記搬送面６１１に平行に保持ローラ６２を配置し、該保持ローラ６２の両端には軸受６２１が設けられ、該軸受６２１は前記軸受収納部６１２の収納面を上下動可能にされている。前記保持ローラ６２と前記搬送面６１１との隙間はＩＣカードシート３及びＩＣカード製品１０の厚さに近い寸法に調整されて、前記軸受６２１は前記軸受収納部６１２にセットして固定される。そして前記隙間をＩＣカードシート３及びＩＣカード製品１０が通過することによって、ＩＣカード製品１０がＩＣカードシート３からはずれる心配無く分離排出部６４の中間回収位置に搬送されてゆく。
【００４０】
これとは少し異なる保持手段６０の例として、前記軸受６２１が前記軸受収納部６１２の収納面を上下動可能にしたままにして保持ローラ６２及び軸受６２１共にその自重によって通過するＩＣカードシート３及びＩＣカード製品１０を押圧して揃えて保持する効果をあげている。また、前記自重の他に更にバネ等による付勢手段を設けてもよい。
【００４１】
その他の保持手段６０の例としては、図４（ａ）の側面図に示すように、保持ローラ６２を２本、ＩＣカードシート３及びＩＣカード製品１０の搬送方向に直角で搬送面に平行にローラ対として配置し、ローラ対の隙間をＩＣカードシート３及びＩＣカード製品１０の厚さに近い寸法に調整してＩＣカードシート３及びＩＣカード製品１０を通過させるようにしたものや、図４（ｂ）の側面図に示すように、ローラ対をお互いに付勢させあって、その隙間をＩＣカードシート３及びＩＣカード製品１０が通過するようにしたものでもはずれ防止の効果は大きい。
【００４２】
更には、他の保持手段６０の例としては、図４（ｃ）の側面図に示すように、平面形成部材６１の搬送面６１１に対してＩＣカードシート３及びＩＣカード製品１０が搬送されてきたときこれを一旦停止させ、上記平面形成部材６１の搬送面６１１に対して、それに平行に上方に設けた平面板部材６１４を下降させてその平面部６１５で一旦押圧した状態にしてから押圧を解除して再度搬送させるようにしたものが良好な結果を示している。
【００４３】
更には、別の保持手段６０の例としては、図４（ｄ）の側面図に示すように、平面形成部材６１の搬送面６１１に対して、入り口の隙間がＩＣカードシートの厚みより広く、中へ進むにつれて隙間をＩＣカードシートの厚さとほぼ同じ寸法となるように、対向する上部のガイド面を有するガイド面形成部材６１６を設け、その隙間をＩＣカードシート３及びＩＣカード製品１０が通過するようにしたものである。
【００４４】
次にＩＣカードシート３に嵌ったＩＣカード製品１０は分離排出部６４に搬送され、上方からプッシャに６４Ａにより突き落とされる。突き落とされたＩＣカード製品１０は下方に設けられたコンベア６５上に載り、搬送される。
【００４５】
コンベア６５で搬送されたＩＣカード製品１０はコンベア６５の下方にある画像センサ６６により図７に示すように印刷パターン１２とカードエッジ１１との距離Ｌ１、Ｌ２を測定され、打ち抜き位置のチェックが行われる。
【００４６】
次のコンベアとしてゲートコンベア６７は列毎に独立して上下方向に揺動する不良排出ゲート６７Ａを形成しており、上記打ち抜き位置不良のＩＣカード製品１０を排出可能となっている。またあらかじめＩＣカードシート３にバーコード３Ｃ等により不良カードの位置情報を記録しておき、これを読み取ってこの不良排出ゲート６７Ａの機構により排出する事も可能である。また制御コンピュータ等からの情報に従って任意に不良のＩＣカード製品１０を排出する事も可能である。
【００４７】
さらに下流側にも上下方向揺動可能なゲートコンベア６８があり、ＩＣカードの抜き取り検査のためのサンプリングゲート６８Ａとすることが可能になっている。なお上記不良排出ゲート６７Ａとサンプリングゲート６８Ａの流れ方向の位置の順序は逆でも良い。
【００４８】
次にＩＣカード製品１０はクリーニング手段７０により両面をクリーニングされる。図８の側面図に示すように、クリーニング手段７０は、粘着ローラ７１によりＩＣカード製品１０のゴミを吸着し、このゴミをテープ状の粘着シート７３に転写して巻き取るようにしてある。クリーニング手段７０は表裏同じ構造になっている。
【００４９】
この粘着シート７３は間欠または連続送りされており、次々とゴミが吸着されていくため、粘着ローラ７１は清浄な状態が保たれる。
【００５０】
ＩＣカード製品１０は次に製品回収部８０の仮集積シャッター８１上に集積される。仮集積シャッター８１には１０〜３０枚程度のＩＣカード製品１０を集積可能で、上記規定枚数集積されたところで開閉し、ＩＣカード製品集積体８２を下のマガジン８３に落下集積する。この方法の良いところは、ＩＣカード製品１０をまとめて落下させるため、１枚ずつ落下させるのに比べて安定した姿勢で落下し、集積不良が発生しにくい事である。また上記仮集積シャッター８１は、後述するマガジン８３の交換時に機械を停止させないためのバッファーの役割も果たす。
さらに仮集積部上方には画像センサ８５が設けられ、ＩＣカード製品１０の表面の意匠を検出し、ＩＣカード製品１０の反転等の姿勢不良のチェックを行なう。この画像センサ８５はカラーマークセンサや反射型光電センサ等でも良い。
【００５１】
図９の斜視図に示すように、マガジン８３は例えば１列に４００枚のカードを集積可能となっている。
【００５２】
マガジン８３への集積部８０には、マガジン８３の内部で矢視のように上下に昇降可能なカード受け台８４があり、最初は最上部に位置し、ＩＣカード製品１０が集積されるに従って下降し、ＩＣカード製品１０の落下距離が大きくなって集積不良が発生するのを防止する。
【００５３】
マガジン８３のどれか１列が満杯（４００枚）になると、上記仮集積シャッター８１が出放しとなり、その間にマガジン８３を空のものと交換し、上記ＩＣカード製品１０の受け台８４が上昇を終了すると仮集積シャッター８１が開閉をし、上記動作を繰り返す。
【００５４】
なお上記マガジン８３の交換タイミングは、１列が満杯になった時に交換する方法で述べたが、別の方法として、規定のＩＣカードＩＣカードシート３の枚数（例えばＩＣカードシート４０枚）の加工を終了したところで、ＩＣカードシート３の切れ目に合わせてマガジン８３を交換する様にしても良い。
【００５５】
なお打ち抜かれて残されたＩＣカードシート３のスクラップはスクラップ集積部８６に集積される。
【図面の簡単な説明】
【００５６】
【図１】本発明のＩＣカードシート打抜装置の一例を示す斜視図である。
【図２】本発明のＩＣカードシート打抜装置の打抜部の一例を示す側面図である。
【図３】本発明のＩＣカードシート打抜装置のＩＣカードシートの保持部の一例を示す斜視図である。
【図４】本発明のＩＣカードシート打抜装置のＩＣカードシートの保持部の他の数例を示す斜視図である。
【図５】ＩＣカードシートの層構成を示す断面図である。
【図６】ＩＣカードシートの平面図である。
【図７】ＩＣカード製品の平面図である。
【図８】ＩＣカード製品のクリーニング手段の側面図である。
【図９】ＩＣカード製品を回収するマガジンの斜視図である。
【符号の説明】
【００５７】
２  ＳＵＳ板
３  ＩＣカードシート
３Ａ  ＩＣカードシートの位置決めマーク
３Ｂ  送りピッチ位置合わせ用マーク
３Ｃ  バーコード
１０  ＩＣカード製品
２０  ＳＵＳ板積載ステーション
２１，３１  パレット
３０  ＩＣカードシート供給部
４０  位置決め部
４１  チャック
５０  打抜部
５１  打抜金型
６０  保持手段
６１  平面形成部材
６２  保持ローラ
６４  分離排出部
６４Ａ  プッシャ
６５  コンベア
６６  画像センサ
７０  クリーニング手段
７１  粘着ローラ
７３  粘着シート
８０  製品回収部
１００  ＩＣカードシート打抜装置
３０１  第１のシート
３０１Ａ  ベース（第１のシートのベース）
３０２  インレット
３０３  接着剤層
３０４  第２のシート
３０４Ａ  ベース（第２のシートのベース）
３０４Ｋ  亀裂
３０５  受像層
３０６  筆記層
５１１  基台
５１２  ダイ
５１３ノックアウト部材
５１４，５２４  バネ
５２１  ラム
５２２  パンチ
５２３  ストリッパ
６１１  搬送面
６１２  軸受収納部
６１４  平面板部材
６１５  平面部
６１６  ガイド面形成部材
６２１  軸受
【図１】
2005144619.tif 000003
【図２】
2005144619.tif 000004
【図３】
2005144619.tif 000005
【図４】
2005144619.tif 000006
【図５】
2005144619.tif 000007
【図６】
2005144619.tif 000008
【図７】
2005144619.tif 000009
【図８】
2005144619.tif 000010
【図９】
2005144619.tif 000011